(57)【要約】  本開示の特定の態様は、一般的にワイヤレス通信に関し、より詳細には、データパケット中のデータシンボルの数を正確に決定するための技法に関する。本明細書において提供する技法は、受信端末がそのような曖昧な長さフィールド値に基づいたシンボル数計算を補正できるようにし得る。
2013543292.tif 000002
【特許請求の範囲】
【請求項１】
１つまたは複数のデータシンボルを備えるデータパケットを生成することと、
前記データパケットのプリアンブルフィールド中で、受信エンティティによってデータシンボルの数を計算するために使用され得る長さフィールドと、前記計算されたシンボル数が補正されるべきか否かを示す補正フィールドとを提供することと、
前記データパケットを送信することとを備える、ワイヤレス通信のための方法。
【請求項２】
前記提供することが、
第１の長さのガードインターバルが使用され、第１の数のデータシンボルが前記パケット中で送信される場合、前記補正フィールドに第１の値を与えることと、
第１の長さの前記ガードインターバルが使用され、第２の数のデータシンボルが前記パケット中で送信される場合、前記補正フィールドに第２の値を与えることとを備える、請求項１に記載の方法。
【請求項３】
１０を法とするシンボル数ＮSYMが９に等しい場合、前記補正フィールドに前記第１の値が与えられ、
それ以外の場合、前記第２の値が与えられる、請求項２に記載の方法。
【請求項４】
前記補正フィールドが２ビットフィールドを備える、請求項１に記載の方法。
【請求項５】
前記２ビットフィールドが、前記データシンボルがロングガードインターバルを有するかまたはショートガードインターバルを有するかを示す、請求項４に記載の方法。
【請求項６】
前記データシンボルがロングＧＩを有する場合、前記データシンボル数にかかわらず前記２ビットフィールドについての同じ値が使用される、請求項５に記載の方法。
【請求項７】
１つまたは複数のデータシンボルを備えるデータパケットを受信することと、
前記データパケットから長さフィールドおよび補正フィールドを抽出することと、
前記長さフィールドおよび前記補正フィールドに基づいて、前記パケット中のデータシンボルの数を計算することとを備える、ワイヤレス通信のための方法。
【請求項８】
第１の長さのガードインターバルが使用され、第１の数のデータシンボルが前記パケット中で送信される場合、前記補正フィールドが第１の値を有し、
第１の長さの前記ガードインターバルが使用され、第２の数のデータシンボルが前記パケット中で送信される場合、前記補正フィールドが第２の値を有する、請求項７に記載の方法。
【請求項９】
１０を法とするシンボル数ＮSYMが９に等しい場合、前記補正フィールドに前記第１の値が与えられ、
それ以外の場合、前記第２の値が与えられる、請求項８に記載の方法。
【請求項１０】
前記補正フィールドが２ビットフィールドを備える、請求項７に記載の方法。
【請求項１１】
前記２ビットフィールドが、前記データシンボルがロングガードインターバルを有するかまたはショートガードインターバルを有するかを示す、請求項１０に記載の方法。
【請求項１２】
前記データシンボルがロングＧＩを有する場合、前記データシンボル数にかかわらず前記２ビットフィールドについての同じ値が使用される、請求項１１に記載の方法。
【請求項１３】
前記長さフィールドおよび前記補正フィールドに基づいて、前記パケット中の前記データシンボル数を計算することが、前記補正フィールドの値に基づいて前記データシンボル数を計算する際に使用するための式を選択することを備える、請求項７に記載の方法。
【請求項１４】
１つまたは複数のデータシンボルを備えるデータパケットを生成する手段と、
前記データパケットのプリアンブルフィールド中で、受信エンティティによってデータシンボルの数を計算するために使用され得る長さフィールドと、前記計算されたシンボル数が補正されるべきか否かを示す補正フィールドとを提供する手段と、
前記データパケットを送信する手段とを備える、ワイヤレス通信のための装置。
【請求項１５】
提供する前記手段が、
第１の長さのガードインターバルが使用され、第１の数のデータシンボルが前記パケット中で送信される場合、前記補正フィールドに第１の値を与える手段と、
第１の長さの前記ガードインターバルが使用され、第２の数のデータシンボルが前記パケット中で送信される場合、前記補正フィールドに第２の値を与える手段とを備える、請求項１４に記載の装置。
【請求項１６】
１０を法とするシンボル数ＮSYMが９に等しい場合、前記補正フィールドに前記第１の値が与えられ、
それ以外の場合、前記第２の値が与えられる、請求項５に記載の装置。
【請求項１７】
前記補正フィールドが２ビットフィールドを備える、請求項１４に記載の装置。
【請求項１８】
前記２ビットフィールドが、前記データシンボルがロングガードインターバルを有するかまたはショートガードインターバルを有するかを示す、請求項１７に記載の装置。
【請求項１９】
前記データシンボルがロングＧＩを有する場合、前記データシンボル数にかかわらず前記２ビットフィールドについての同じ値が使用される、請求項１８に記載の装置。
【請求項２０】
１つまたは複数のデータシンボルを備えるデータパケットを受信する手段と、
前記データパケットから長さフィールドおよび補正フィールドを抽出する手段と、
前記長さフィールドおよび前記補正フィールドに基づいて、前記パケット中のデータシンボルの数を計算する手段とを備える、ワイヤレス通信のための装置。
【請求項２１】
第１の長さのガードインターバルが使用され、第１の数のデータシンボルが前記パケット中で送信される場合、前記補正フィールドが第１の値を有し、
第１の長さの前記ガードインターバルが使用され、第２の数のデータシンボルが前記パケット中で送信される場合、前記補正フィールドが第２の値を有する、請求項２０に記載の装置。
【請求項２２】
１０を法とするシンボル数ＮSYMが９に等しい場合、前記補正フィールドに前記第１の値が与えられ、
それ以外の場合、前記第２の値が与えられる、請求項２１に記載の装置。
【請求項２３】
前記補正フィールドが２ビットフィールドを備える、請求項２０に記載の装置。
【請求項２４】
前記２ビットフィールドが、前記データシンボルがロングガードインターバルを有するかまたはショートガードインターバルを有するかを示す、請求項２３に記載の装置。
【請求項２５】
前記データシンボルがロングＧＩを有する場合、前記データシンボル数にかかわらず前記２ビットフィールドについての同じ値が使用される、請求項２４に記載の装置。
【請求項２６】
前記長さフィールドおよび前記補正フィールドに基づいて、前記パケット中の前記データシンボル数を計算することが、前記補正フィールドの値に基づいて前記データシンボル数を計算する際に使用するための式を選択することを備える、請求項２０に記載の装置。
【請求項２７】
１つまたは複数のデータシンボルを備えるデータパケットを生成し、前記データパケットのプリアンブルフィールド中で、受信エンティティによってデータシンボルの数を計算するために使用され得る長さフィールドと、前記計算されたシンボル数が補正されるべきか否かを示す補正フィールドとを提供し、前記データパケットを送信するように構成された少なくとも１つのプロセッサと、
前記少なくとも１つのプロセッサに結合されたメモリとを備える、ワイヤレス通信のための装置。
【請求項２８】
１つまたは複数のデータシンボルを備えるデータパケットを受信し、前記データパケットから長さフィールドおよび補正フィールドを抽出し、前記長さフィールドおよび前記補正フィールドに基づいて、前記パケット中のデータシンボルの数を計算するように構成された少なくとも１つのプロセッサと、
前記少なくとも１つのプロセッサに結合されたメモリとを備える、ワイヤレス通信のための装置。
【請求項２９】
記憶された命令を有するコンピュータ可読媒体を備えるコンピュータプログラム製品であって、前記命令が、１つまたは複数のプロセッサによって、
１つまたは複数のデータシンボルを備えるデータパケットを生成し、
前記データパケットのプリアンブルフィールド中で、受信エンティティによってデータシンボルの数を計算するために使用され得る長さフィールドと、前記計算されたシンボル数が補正されるべきか否かを示す補正フィールドとを提供し、
前記データパケットを送信するために実行可能である、コンピュータプログラム製品。
【請求項３０】
記憶された命令を有するコンピュータ可読媒体を備えるコンピュータプログラム製品であって、前記命令が、１つまたは複数のプロセッサによって、
１つまたは複数のデータシンボルを備えるデータパケットを受信し、
前記データパケットから長さフィールドおよび補正フィールドを抽出し、
前記長さフィールドおよび前記補正フィールドに基づいて、前記パケット中のデータシンボルの数を計算するために実行可能である、コンピュータプログラム製品。
【発明の詳細な説明】
【技術分野】
【０００１】
関連出願の相互参照
本出願は、参照により本明細書に組み込まれる、２０１０年８月３１日に出願された、「データシンボル数決定のためのガードインターバルシグナリング（GUARD INTERVAL SIGNALING FOR DATA SYMBOL NUMBER DETERMINATION）」という名称の米国仮特許出願第６１／３７８，６４２号の利益を主張する。
【０００２】
本開示の特定の態様は、一般的にワイヤレス通信に関し、より詳細には、データパケット中のデータシンボルの数を正確に決定するための技法に関する。
【背景技術】
【０００３】
ワイヤレス通信システムに要求される帯域幅要件の増加の問題に対処するために、高いデータスループットを達成しながら、チャネルリソースを共有することによって複数のユーザ端末が単一のアクセスポイントと通信することを可能にするために、様々な方式が開発されている。多入力多出力（ＭＩＭＯ）技術は、次世代通信システムのための好評な技法として最近登場した１つのそのような手法である。ＭＩＭＯ技術は、米国電気電子技術者協会（ＩＥＥＥ）８０２．１１規格など、いくつかの新生のワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを表す。
【０００４】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、ＮS個の独立チャネルに分解されることができ、それらは空間チャネルとも呼ばれ、ＮS≦ｍｉｎ｛ＮT，ＮR｝である。ＮS個の独立チャネルの各々は、次元に対応する。複数の送信アンテナと受信アンテナとによって生成された追加の次元が利用される場合、ＭＩＭＯシステムは改善されたパフォーマンス（たとえば、より高いスループットおよび／またはより大きい信頼性）をもたらすことができる。
【０００５】
単一のアクセスポイント（ＡＰ）および複数のユーザ局（ＳＴＡ）を備えたワイヤレスネットワークでは、アップリンクおよびダウンリンク方向の両方で、異なる局に向かって複数のチャネル上での同時送信が起こり得る。そのようなシステムには多くの課題が存在する。
【発明の概要】
【０００６】
本開示の特定の態様は、ワイヤレス通信のための方法を提供する。この方法は、概して、１つまたは複数のデータシンボルを備えるデータパケットを生成することと、データパケットのプリアンブルフィールド中で、受信エンティティによってシンボル数を計算するために使用され得る長さフィールド、および計算されたシンボル数が補正されるべきか否かについての指示を与える補正フィールドを提供することと、データパケットを送信することとを含む。
【０００７】
本開示の特定の態様は、ワイヤレス通信のための方法を提供する。この方法は、概して、１つまたは複数のデータシンボルを備えるデータパケットを受信することと、データパケットから長さフィールドおよび補正フィールドを抽出することと、長さフィールドおよび補正フィールドに基づいて、パケット中のデータシンボルの数を計算することとを含む。
【０００８】
本開示の特定の態様は、ワイヤレス通信のための装置を提供する。この装置は、概して、１つまたは複数のデータシンボルを備えるデータパケットを生成する手段と、データパケットのプリアンブルフィールド中で、受信エンティティによってシンボル数を計算するために使用され得る長さフィールド、および計算されたシンボル数が補正されるべきか否かについての指示を与える補正フィールドを提供する手段と、データパケットを送信する手段とを含む。
【０００９】
本開示の特定の態様は、ワイヤレス通信のための装置を提供する。この装置は、概して、１つまたは複数のデータシンボルを備えるデータパケットを受信する手段と、データパケットから長さフィールドおよび補正フィールドを抽出する手段と、長さフィールドおよび補正フィールドに基づいて、パケット中のデータシンボルの数を計算する手段とを含む。
【００１０】
本開示の特定の態様は、ワイヤレス通信のための装置を提供する。この装置は、概して、１つまたは複数のデータシンボルを備えるデータパケットを生成し、データパケットのプリアンブルフィールド中で、受信エンティティによってデータシンボルの数を計算するために使用され得る長さフィールドと、計算されたシンボル数が補正されるべきか否かを示す補正フィールドとを提供し、データパケットを送信するように構成された少なくとも１つのプロセッサであって、受信エンティティが、長さフィールドおよび補正フィールドに基づいてデータシンボルの数を計算することができる、少なくとも１つのプロセッサと、該少なくとも１つのプロセッサに結合されたメモリとを含む。
【００１１】
本開示の特定の態様は、ワイヤレス通信のための装置を提供する。この装置は、概して、１つまたは複数のデータシンボルを備えるデータパケットを受信し、データパケットから長さフィールドおよび補正フィールドを抽出し、長さフィールドおよび補正フィールドに基づいて、パケット中のデータシンボルの数を計算するように構成された少なくとも１つのプロセッサと、該少なくとも１つのプロセッサに結合されたメモリとを含む。
【００１２】
本開示の特定の態様は、命令が記憶されたコンピュータ可読媒体を備えるコンピュータプログラム製品を提供する。命令は、概して、１つまたは複数のプロセッサによって、１つまたは複数のデータシンボルを備えるデータパケットを生成し、データパケットのプリアンブルフィールド中で、受信エンティティによってデータシンボルの数を計算するために使用され得る長さフィールドと、計算されたシンボル数が補正されるべきか否かを示す補正フィールドとを提供し、データパケットを送信するために実行可能である。
【００１３】
本開示の特定の態様は、命令が記憶されたコンピュータ可読媒体を備えるコンピュータプログラム製品を提供する。命令は、概して、１つまたは複数のプロセッサによって、１つまたは複数のデータシンボルを備えるデータパケットを受信し、データパケットから長さフィールドおよび補正フィールドを抽出し、長さフィールドおよび補正フィールドに基づいて、パケット中のデータシンボルの数を計算するために実行可能である。
【００１４】
本開示の上述の特徴を詳細に理解することができるように、添付の図面にその一部が示される諸態様を参照することによって、以上で簡単に要約したより具体的な説明を行うことができる。しかし、この説明は他の同様に効果的な諸態様を認めるものであるので、添付の図面は、本開示の特定の典型的な態様のみを示しており、したがって、本開示の範囲を限定するものとみなされるべきではないことに留意されたい。
【図面の簡単な説明】
【００１５】
【図１】本開示の特定の態様によるワイヤレス通信ネットワークを示す図。
【図２】本開示の特定の態様による例示的なアクセスポイントおよびユーザ端末を示すブロック図。
【図３】本開示の特定の態様による例示的なワイヤレスデバイスを示すブロック図。
【図４】本開示の特定の態様による、アクセスポイントから送信されるプリアンブルの例示的構造を示す図。
【図５】本開示の特定の態様による、曖昧な長さフィールドに補正ファクタを与えるための、アクセスポイント（ＡＰ）において実施され得る例示的な操作を示す図。
【図５Ａ】図５に示される操作を実施することが可能な例示的手段を示す図。
【図６】本開示の特定の態様による、曖昧な長さフィールドに基づいて計算されたデータシンボル数を補正するための、ユーザ端末において実施され得る例示的な操作を示す図。
【図６Ａ】図６に示される操作を実行することが可能な例示的手段を示す図。
【図７】本開示の特定の態様による、補正され得る曖昧な長さフィールドの例を示す図。
【図８】本開示の特定の態様による、曖昧な長さフィールドに基づいて計算されたデータシンボル数を補正するために提供され得る補正フィールドの例を示す図。
【詳細な説明】
【００１６】
本開示の態様は、データパケット長フィールドにおける曖昧性（ambiguities）を解消するのを助けるために使用され得る技法を提供する。曖昧性は、データシンボルがショートガードインターバル（ＧＩ）を使用するときに生じ得る。これらのショートＧＩをもつデータシンボルは、データパケット中で与えられる長さフィールドの解像度未満の送信時間をもち、その結果、異なるシンボル数に対して同じ長さフィールド値が計算される場合がある。本明細書において提供する技法は、受信端末がそのような曖昧な長さフィールド値に基づいたシンボル数計算を補正できるようにし得る。
【００１７】
添付の図面を参照しながら本開示の様々な態様について以下でより詳細に説明する。ただし、本開示は、多くの異なる形態で実施され得るものであり、本開示全体にわたって提示されるいずれかの特定の構造または機能に限定されるものと解釈されるべきではない。むしろ、これらの態様は、本開示が周到で完全なものになり、本開示の範囲を当業者に十分に伝えるために与えるものである。本明細書の教示に基づいて、本開示の範囲が、本開示の他の態様とは無関係に実装されるにせよ、本開示の他の態様と組み合わせて実装されるにせよ、本明細書で開示する本開示のいかなる態様にも及ぶものであることを、当業者なら諒解されたい。たとえば、本明細書に記載の任意の数の態様を使用して、装置が実施されることができ、または方法が実施されることができる。さらに、本開示の範囲は、本明細書に記載された本開示の様々な態様に加えてまたはそれらの態様以外に、他の構造、機能、または構造および機能を使用して実施されるそのような装置またはそのような方法に及ぶものとする。本明細書で開示する本開示の任意の態様が請求項の１つまたは複数の要素によって実施され得ることを理解されたい。
【００１８】
「例示的」という単語は、本明細書では「例、事例、または説明の役割を果たすこと」を意味するために使用する。「例示的」として本明細書で説明するいかなる態様も、必ずしも他の態様よりも好適なまたは有利なものと解釈すべきではない。
【００１９】
本明細書では特定の態様について説明するが、これらの態様の多くの変形および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であることが意図されており、それらのうちのいくつかを例として図および好ましい態様についての以下の説明で示す。詳細な説明および図面は、限定的なものではなく単に本開示を例示するものにすぎず、本開示の範囲は添付の特許請求の範囲およびその均等物によって定義される。
【００２０】
例示的なワイヤレス通信システム
本明細書で説明する技法は、直交多重化方式に基づく通信システムを含む様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために、十分に異なる方向を利用することができる。ＴＤＭＡシステムは、複数のユーザ端末が、送信信号を異なるタイムスロットに分割することによって、同じ周波数チャネルを共有できるようにすることができ、各タイムスロットは、異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、また、トーン、ビンなどとも呼ばれ得る。ＯＦＤＭでは、各サブキャリアは、データで独立して変調され得る。ＳＣ−ＦＤＭＡシステムは、インターリーブされたＦＤＭＡ（ＩＦＤＭＡ）を使用して、システム帯域幅にわたって分配されたサブキャリア上で送信することができ、局所ＦＤＭＡ（ＬＦＤＭＡ）を使用して、隣接するサブキャリアのブロック上で送信することができ、または、拡張ＦＤＭＡ（ＥＦＤＭＡ）を使用して、隣接するサブキャリアの複数のブロック上で送信することができる。一般に、変調シンボルは、ＯＦＤＭでは周波数領域で、ＳＣ−ＦＤＭＡでは時間領域で送られる。
【００２１】
本明細書の教示は、様々なワイヤードまたはワイヤレス装置（たとえば、ノード）に組み込まれ得る（たとえば、その装置内に実装され、またはその装置によって実行され得る）。いくつかの態様では、本明細書の教示に従って実装されるワイヤレスノードは、アクセスポイントまたはアクセス端末を備え得る。
【００２２】
アクセスポイント（「ＡＰ」）は、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られるものであり得る。
【００２３】
アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られるものであり得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示される１つまたは複数の態様は、電話（たとえば、セルラー電話またはスマートフォン）、コンピュータ（たとえば、ラップトップ）、ポータブル通信デバイス、ポータブルコンピューティングデバイス（たとえば、携帯情報端末）、娯楽デバイス（たとえば、音楽またはビデオデバイス、あるいは衛星ラジオ）、全地球測位システムデバイス、あるいはワイヤレスまたはワイヤード媒体を介して通信するように構成された他のいずれかの好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなどの広域ネットワーク）のための、またはそのようなネットワークへの接続性を提供し得る。
【００２４】
図１に、アクセスポイントとユーザ端末とを備えた多元接続多入力多出力（ＭＩＭＯ）システム１００を示す。簡単のために、図１にはただ１つのアクセスポイント１１０を示している。アクセスポイントは、一般に、ユーザ端末と通信する固定局であり、基地局または何らかの他の用語で呼ばれることもある。ユーザ端末は、固定でもモバイルでもよく、移動局、ワイヤレスデバイスまたは何らかの他の用語で呼ばれることもある。アクセスポイント１１０は、ダウンリンクおよびアップリンク上で所与の瞬間において１つまたは複数のユーザ端末１２０と通信することができる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末は、また、別のユーザ端末とピアツーピアに通信することができる。システムコントローラ１３０は、アクセスポイントに結合し、アクセスポイントのための調整および制御を行う。
【００２５】
以下の開示では、空間分割多元接続（ＳＤＭＡ）によって通信することが可能なユーザ端末１２０について説明する部分もあるが、特定の態様では、ユーザ端末１２０は、ＳＤＭＡをサポートしないいくつかのユーザ端末をも含むことができる。したがって、そのような態様では、ＡＰ１１０は、ＳＤＭＡユーザ端末と非ＳＤＭＡユーザ端末の両方と通信するように構成されることができる。この手法は、好都合なことには、より新しいＳＤＭＡユーザ端末が適切なときに導入されることを可能にしながら、より古いバージョンのユーザ端末（「レガシー」局）が事業において展開されたままであることを可能にして、それらの有効寿命を延長させることができる。
【００２６】
システム１００は、ダウンリンクおよびアップリンク上でのデータ送信のために複数の送信アンテナおよび複数の受信アンテナを用いる。アクセスポイント１１０は、Ｎap個のアンテナを備え、ダウンリンク伝送では多入力（ＭＩ）を表し、アップリンク伝送では多出力（ＭＯ）を表す。Ｋ個の選択されたユーザ端末１２０のセットは、ダウンリンク伝送では多出力を集合的に表し、アップリンク伝送では多入力を集合的に表す。純粋なＳＤＭＡの場合、Ｋ個のユーザ端末のためのデータシンボルストリームが何らかの手段によってコード、周波数、または時間で多重化されない場合、Ｎap≧Ｋ≧１であることが望まれる。ＴＤＭＡ技法、ＣＤＭＡを用いた様々なコードチャネル、ＯＦＤＭを用いたサブバンドの互いに素（disjoint）なセットなどを使用してデータシンボルストリームが多重化されることができる場合、ＫはＮapよりも大きくなり得る。選択された各ユーザ端末は、ユーザ固有のデータをアクセスポイントに送信し、および／またはアクセスポイントからユーザ固有のデータを受信する。一般に、選択された各ユーザ端末は、１つまたは複数のアンテナを備え得る（すなわち、Ｎut≧１）。Ｋ個の選択されたユーザ端末は、同じまたは異なる数のアンテナを有することができる。
【００２７】
ＭＩＭＯシステム１００は、時分割複信（ＴＤＤ）システムまたは周波数分割複信（ＦＤＤ）システムとすることができる。ＴＤＤシステムの場合、ダウンリンクとアップリンクは、同じ周波数帯域を共有する。ＦＤＤシステムの場合、ダウンリンクとアップリンクは、異なる周波数帯域を使用する。ＭＩＭＯシステム１００は、また、伝送のために単一のキャリアまたは複数のキャリアを利用することができる。各ユーザ端末は、（たとえば、コストを抑えるために）単一のアンテナを備えることができ、または（たとえば、追加コストをサポートできる場合）複数のアンテナを備えることができる。ユーザ端末１２０が、送信／受信を異なるタイムスロットに分割することによって同じ周波数チャネルを共有する場合、システム１００は、ＴＤＭＡシステムであってもよく、各タイムスロットは、異なるユーザ端末１２０に割り当てられる。
【００２８】
図２に、ＭＩＭＯシステム１００におけるアクセスポイント１１０と２つのユーザ端末１２０ｍおよび１２０ｘとのブロック図を示す。アクセスポイント１１０は、Ｎt個のアンテナ２２４ａ〜２２４ｔを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、添字「ｄｎ」はダウンリンクを示し、添字「ｕｐ」はアップリンクを示し、Ｎup個のユーザ端末がアップリンク上での同時送信のために選択され、Ｎdn個のユーザ端末がダウンリンク上での同時送信のために選択され、Ｎupは、Ｎdnに等しいことも等しくないこともあり、ＮupとＮdnとは、静的な値であるかまたはスケジュール間隔ごとに変化することができる。アクセスポイントおよびユーザ端末においてビームステアリングまたは何らかの他の空間処理技法が使用され得る。
【００２９】
アップリンクでは、アップリンク送信のために選択された各ユーザ端末１２０において、ＴＸデータプロセッサ２８８は、データソース２８６からトラフィックデータを受信し、コントローラ２８０から制御データを受信する。ＴＸデータプロセッサ２８８は、ユーザ端末のための選択されたレートに関連したコーディングおよび変調方式に基づいて、ユーザ端末のためのトラフィックデータを処理（たとえば、符号化、インターリーブ、および変調）し、データシンボルストリームを提供する。ＴＸ空間プロセッサ２９０は、データシンボルストリームに対して空間処理を実行し、Ｎut,m個の送信シンボルストリームをＮut,m個のアンテナに提供する。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のために、Ｎut,m個のアップリンク信号を提供する。
【００３０】
アップリンクでの同時送信のためにＮup個のユーザ端末がスケジュールされ得る。これらのユーザ端末の各々は、そのデータシンボルストリームに対して空間処理を実行し、アップリンクで送信シンボルストリームのそのセットをアクセスポイントに送信する。
【００３１】
アクセスポイント１１０において、Ｎap個のアンテナ２２４ａ〜２２４ａｐは、アップリンクで送信しているすべてのＮup個のユーザ端末からアップリンク信号を受信する。各アンテナ２２４は、受信信号をそれぞれの受信機ユニット（ＲＣＶＲ）２２２に提供する。各受信機ユニット２２２は、送信機ユニット２５４によって実行された処理に相補的な処理を実行し、受信シンボルストリームを提供する。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを提供する。受信機空間処理は、チャネル相関行列反転（ＣＣＭＩ）、最小平均２乗誤差（ＭＭＳＥ）、ソフト干渉除去（ＳＩＣ：soft interference cancellation）、または何らかの他の技法に従って実行される。復元された各アップリンクデータシンボルストリームは、それぞれのユーザ端末によって送信されたデータシンボルストリームの推定である。ＲＸデータプロセッサ２４２は、復号されたデータを得るために、そのストリームに使用されたレートにしたがって、復元された各アップリンクデータシンボルストリームを処理（たとえば、復調、デインターリーブ、および復号）する。各ユーザ端末についての復号されたデータは、記憶のためにデータシンク２４４に提供され、および／またはさらなる処理のためにコントローラ２３０に提供されることができる。
【００３２】
ダウンリンクでは、アクセスポイント１１０において、ＴＸデータプロセッサ２１０が、ダウンリンク送信のためにスケジュールされたＮdn個のユーザ端末についてデータソース２０８からトラフィックデータを受信し、コントローラ２３０から制御データを受信し、また、場合によってはスケジューラ２３４から他のデータを受信する。様々なタイプのデータは、異なるトランスポートチャネル上で送られることができる。ＴＸデータプロセッサ２１０は、そのユーザ端末のために選択されたレートに基づいて、各ユーザ端末のトラフィックデータを処理（たとえば、符号化、インターリーブ、変調）する。ＴＸデータプロセッサ２１０は、Ｎdn個のユーザ端末のためのＮdn個のダウンリンクデータシンボルストリームを提供する。ＴＸ空間プロセッサ２２０は、Ｎdn個のダウンリンクデータシンボルストリームに対して空間処理（本開示に記載するプリコーディングまたはビームフォーミングなど）を実施し、Ｎap個のアンテナにＮap個の送信シンボルストリームを提供する。各送信機ユニット２２２は、ダウンリンク信号を生成するために、それぞれの送信シンボルストリームを受信し、処理する。Ｎap個の送信機ユニット２２２は、Ｎap個のアンテナ２２４からユーザ端末への送信のために、Ｎap個のダウンリンク信号を提供する。
【００３３】
各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを提供する。ＲＸ空間プロセッサ２６０は、Ｎut,m個の受信機ユニット２５４からのＮut,m個の受信シンボルストリームに対して受信機空間処理を実行し、ユーザ端末のための復元されたダウンリンクデータシンボルストリームを提供する。受信機空間処理は、ＣＣＭＩ、ＭＭＳＥまたは何らかの他の技法に従って実行される。ＲＸデータプロセッサ２７０は、ユーザ端末のための復号データを得るために、復元されたダウンリンクデータシンボルストリームを処理（たとえば、復調、デインターリーブ、および復号）する。
【００３４】
各ユーザ端末１２０において、チャネル推定器２７８は、ダウンリンクチャネル応答を推定し、チャネル利得推定値、ＳＮＲ推定値、ノイズ分散などを含み得るダウンリンクチャネル推定値を提供する。同様に、チャネル推定器２２８は、アップリンクチャネル応答を推定し、アップリンクチャネル推定値を提供する。各ユーザ端末のためのコントローラ２８０は、通常、ユーザ端末についての空間フィルタ行列を、そのユーザ端末についてのダウンリンクチャネル応答行列Ｈdn,mに基づいて導出する。コントローラ２３０は、アクセスポイントについての空間フィルタ行列を、実効アップリンクチャネル応答行列Ｈup,effに基づいて導出する。各ユーザ端末のためのコントローラ２８０は、フィードバック情報（たとえば、ダウンリンクおよび／またはアップリンク固有ベクトル、固有値、ＳＮＲ推定値など）をアクセスポイントに送ることができる。コントローラ２３０および２８０は、それぞれ、アクセスポイント１１０およびユーザ端末１２０における様々な処理ユニットの動作も制御する。
【００３５】
図３に、ＭＩＭＯシステム１００などのワイヤレス通信システム内で用いられることのできるワイヤレスデバイス３０２において利用され得る様々なコンポーネントを示す。ワイヤレスデバイス３０２は、本明細書で説明する様々な方法を実装するように構成されることのできるデバイスの一例である。ワイヤレスデバイス３０２は、アクセスポイント１１０またはユーザ端末１２０であり得る。
【００３６】
ワイヤレスデバイス３０２は、ワイヤレスデバイス３０２の動作を制御するプロセッサ３０４を含むことができる。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令およびデータをプロセッサ３０４に提供する。メモリ３０６の一部分は、また、不揮発性ランダムアクセスメモリ（ＮＶＲＡＭ）を含むことができる。プロセッサ３０４は、通常、メモリ３０６内に記憶されたプログラム命令に基づいて、論理および演算操作を実行する。メモリ３０６中の命令は、本明細書で説明する方法を実装するように実行可能である。
【００３７】
ワイヤレスデバイス３０２は、また、ワイヤレスデバイス３０２と遠隔地との間のデータの送信および受信を可能にするために送信機３１０と受信機３１２とを含むことができるハウジング３０８を含むことができる。送信機３１０と受信機３１２とは、組み合わせてトランシーバ３１４にすることができる。単一または複数の送信アンテナ３１６が、ハウジング３０８に取り付けられ、トランシーバ３１４に電気的に結合されることができる。ワイヤレスデバイス３０２は、また、複数の送信機、複数の受信機、および複数のトランシーバを含むことができる（図示せず）。
【００３８】
ワイヤレスデバイス３０２は、また、トランシーバ３１４によって受信された信号のレベルを検出および定量化するために使用できる信号検出器３１８を含むことができる。信号検出器３１８は、総エネルギー、サブキャリアごとのシンボル当たりのエネルギー、電力スペクトル密度および他の信号などの信号を検出し得る。ワイヤレスデバイス３０２は、また、信号を処理する際に使用するためのデジタル信号プロセッサ（ＤＳＰ）３２０を含み得る。
【００３９】
ワイヤレスデバイス３０２の様々なコンポーネントは、データバスに加えて、電力バス、制御信号バス、およびステータス信号バスを含み得るバスシステム３２２によって互いに結合されることができる。
【００４０】
図４は、本開示の特定の態様によるプリアンブル４００の例示的構造を示す。プリアンブル４００は、たとえば、図１に示すＭＩＭＯシステム１００においてアクセスポイント（ＡＰ）１１０からユーザ端末１２０に送信され得る。
【００４１】
プリアンブル４００は、オムニレガシー（ｏｍｎｉ−ｌｅｇａｃｙ）部分４０２（すなわち、非ビームフォーム部分）と、プリコードＩＥＥＥ８０２．１１ａｃＶＨＴ（超高スループット）部分４０４とを備え得る。レガシー部分４０２は、レガシーショートトレーニングフィールド（Ｌ−ＳＴＦ）４０６と、レガシーロングトレーニングフィールド４０８と、レガシー信号（Ｌ−ＳＩＧ）フィールド４１０と、２つのＶＨＴ信号Ａ用ＯＦＤＭシンボル（ＶＨＴ−ＳＩＧ−Ａ）フィールド４１２、４１４とを備え得る。ＶＨＴ−ＳＩＧ−Ａフィールド４１２、４１４（すなわち、ＶＨＴ−ＳＩＧ−Ａ１およびＶＨＴ−ＳＩＧ−Ａ２）は、全方向的（omnidirectionally）に送信されることができ、ＳＴＡの組合せ（セット）への、空間ストリームの数の割振りを示し得る。
【００４２】
プリコードＩＥＥＥ８０２．１１ａｃ  ＶＨＴ部分４０４は、ＶＨＴショートトレーニングフィールド（ＶＨＴ−ＳＴＦ）４１８と、ＶＨＴロングトレーニングフィールド１（ＶＨＴ−ＬＴＦ１）４２０と、ＶＨＴロングトレーニングフィールド（ＶＨＴ−ＬＴＦｓ）４２２と、ＶＨＴ信号Ｂ（ＶＨＴ−ＳＩＧ−Ｂ）フィールド４２４と、データ部分４２６とを備え得る。ＶＨＴ−ＳＩＧ−Ｂフィールドは、１つのＯＦＤＭシンボルを備えることができ、プリコード／ビームフォーム送信され得る。
【００４３】
ロバストＭＵ−ＭＩＭＯ受信は、ＡＰが、すべてのサポートされるＳＴＡにすべてのＶＨＴ−ＬＴＦ４２２を送信することを伴い得る。ＶＨＴ−ＬＴＦ４２２は、各ＳＴＡがすべてのＡＰアンテナからＳＴＡのアンテナへのＭＩＭＯチャネルを推定できるようにし得る。ＳＴＡは、推定されたチャネルを利用して、他のＳＴＡに対応するＭＵ−ＭＩＭＯストリームからの効果的な干渉ヌリングを実施することができる。ロバストな干渉除去を実施するために、各ＳＴＡは、どの空間ストリームがそのＳＴＡに属するか、およびどの空間ストリームが他のユーザに属するかを知っていることが見込まれ得る。
【００４４】
データシンボル数決定のためのガードインターバルシグナリング
Ｌ−ＳＩＧフィールド４１０は、パケット持続期間を整数個のシンボルとして示す長さフィールドを有し得る。たとえば、Ｌ−ＳＩＧ  Ｌｅｎｇｔｈフィールドは、パケット持続期間を、整数個の４ｕｓシンボルとして示すことができる。受信局は、以下でより詳細に説明する式により、Ｌ−ＳＩＧ  Ｌｅｎｇｔｈフィールドを使用して、パケット中のデータシンボルの数を決定することができる。
【００４５】
一般に、８０２．１１ａｃパケットは、ＶＨＴ−ＳＩＧ−Ａ中にバイト長フィールドをもたない。むしろ、Ｌ−ＳＩＧ  ＬＥＮＧＴＨフィールドは、パケット持続期間を４マイクロ秒の整数個として与える（８０２．１１ａシンボルに対応する）、８０２．１１ｎ混合モードにおけるような持続期間を含む。その結果、ショートガードインターバルが使用される場合、Ｌ−ＳＩＧ  ＬＥＮＧＴＨに曖昧性が存在し得る。
【００４６】
たとえば、ｘ個およびｘ−１個のシンボルをもつ異なるパケットは、両方とも同じＬ−ＳＩＧ  ＬＥＮＧＴＨを有し得る。ただし、この曖昧性は、ｎが整数である、１０ｎまたは１０ｎ−１に等しい数のショートガードインターバルシンボルについて存在するだけであり得る。曖昧性は、天井関数を含む、Ｌ−ＳＩＧ  ＬＥＮＧＴＨフィールドを計算するために使用される式の性質に起因する。以下でより詳細に説明するように、１つのＶＨＴ−ＬＴＦを有するデータパケットの場合、２０個および１９個のショートＧＩシンボルをもつデータパケットは、同じＬ−ＳＩＧ  ＬＥＮＧＴＨ値をもつ。
【００４７】
ただし、上述したように、送信時間が３．６ｕｓのショートＧＩをもつシンボルなど、送信時間が４ｕｓ未満のショートガードインターバル（ＧＩ）をデータシンボルが使用するときには、曖昧性が生じ得る。この場合、異なるシンボル数（ＮSYM）をもつデータパケットは、同じ長さ値をもって送信され得るので、受信エンティティは、不正確なデータシンボル数を決定し得る。
【００４８】
特定の態様によれば、この曖昧性を受信エンティティに解消させるために、送信エンティティは、データシンボル用に使用されるＧＩの長さを示し、および／または曖昧な長さフィールドに基づいて計算されたシンボル数が補正されるべきか否かをも示し得る、フィールドを送信することができる。
【００４９】
図４に示されるように、そのようなフィールドは、マルチビットＧＩフィールド４２８の形で送信され得る。ＧＩフィールド４２８は、ＶＨＴ−ＳＩＧ−Ａフィールド４１２に含まれ得る。以下でより詳細に説明するように、ＧＩフィールド４２８のマルチビットコードは、データシンボル中でロングＧＩフィールドが使用されるかまたはショートＧＩフィールドが使用されるかを示すことができ、ショートＧＩをもつデータシンボルの場合、ＧＩフィールドは、また、長さフィールドに基づいて計算されたシンボル数が補正されるべきか否かも示し得る。
【００５０】
図５は、本開示の特定の態様による、曖昧な長さフィールドに関する補正ファクタを生成し、提供するために、アクセスポイント（ＡＰ）において実施することができる例示的操作を示す。
【００５１】
操作５００は、５０２で始まり、１つまたは複数のデータシンボルを備えるデータパケットを生成する。５０４において、ＡＰは、データパケットのプリアンブルフィールド中で、受信エンティティによってシンボル数を計算するために使用され得る長さフィールド、ならびに、計算されたシンボル数が補正されるべきか否かについての指示を提供する。５０６において、ＡＰは、データパケットを送信することができ、受信エンティティは、長さフィールドおよび指示に基づいてデータシンボルの数を計算することができる。
【００５２】
図６は、本開示の特定の態様による、曖昧な長さフィールドに基づいて計算されたデータシンボル数を補正するために、たとえばユーザ端末において実施されることができる、例示的な操作６００を示す。
【００５３】
操作は６０２で始まり、１つまたは複数のデータシンボルを備えるデータパケットを受信する。６０４において、ＵＴは、データパケットから長さフィールドおよび補正フィールドを抽出する。６０６において、ＵＴは、長さフィールドおよび補正フィールドに基づいて、パケット中のデータシンボルの数を計算する。
【００５４】
図７は、様々なパケット構成についての長さ値のテーブル７００を示す。これらの値は、以上で言及した、２０個および１９個のショートＧＩシンボルをもつデータパケットについての曖昧な長さフィールド値の例を示す。
【００５５】
テーブル７００中の値は、１つのＶＨＴ−ＬＴＦをもつデータパケットを想定している。ロングＧＩシンボルについて示されるように、各々の異なるシンボル数（ＮSYM）が、異なるＬ−ＳＩＧ  ＬＥＮＧＴＨ値を生じるような曖昧性はない。一方、ショートＧＩシンボルの場合、２０個および１９個のショートＧＩシンボルをもつデータパケットは、同じＬ−ＳＩＧ  ＬＥＮＧＴＨ値をもつ。
【００５６】
曖昧性の理由は、長さ値を計算するために使用される式を調べることによって理解され得る：  
【数１】
2013543292.tif 000003
【００５７】
ここで、  
【数２】
2013543292.tif 000004
【００５８】
であり、Ｔは、ガードインターバルに応じて、４または３．６マイクロ秒であり（ロングの場合は４、ショートの場合は３．６）、ＮSYMは、データシンボルの数であり（ＶＨＴ−ＳＩＧ−Ｂは含まない）、３６＋４ＮVHT-LTFは、マイクロ秒でのプリアンブルの持続期間である。これは、ロングガードインターバルを常に使用するＶＨＴ−ＳＩＧ−Ｂを含み得る。
【００５９】
上記のＬ−ＳＩＧ  ＬＥＮＧＴＨに関する式において、「ｃｅｉｌ」は天井関数である。というのは、「ｃｅｉｌ（ｘ）」は、「ｘ以上の最も小さい整数」として定義されるからである。上式における天井関数の引数は、４という除数をもち、ショートＧＩシンボルの場合、連続するＮＳＹＭ値についてのＴＸＴＩＭＥは、４未満だけ異なるので、天井関数の引数は、１未満だけ異なることになる。したがって、引数が、異なる整数値を生じない場合、Ｌ−ＳＩＧ  ＬＥＮＧＴＨ値は、ＮSYM＝１９および２０と同様に、同じになる。
【００６０】
図８は、本開示の特定の態様による、曖昧な長さフィールドに基づいて計算されたデータシンボル数を補正するために提供され得るＧＩ補正フィールドに関する例示的な値を示す。上述したように、本開示の諸態様は、上述のＧＩフィールドを、データシンボルの数に依存させることによって、この曖昧性を解消するのを助けることができ、受信機側では、対応する異なる式が、ＮSYMを計算するために使用されることができ、その式は、ＧＩビット値に基づいて選択される。図示されていないが、値「ｂ０１」は、予約済み値であり得る。
【００６１】
上記のＬＥＮＧＴＨ式（１）はほとんどの場合に使用され得るが、ショートＧＩが使用され、１０を法とするシンボル数が９である（ＮSYM％１０＝＝９）場合、ＮSYMを計算するために異なる式が使用されることができる。たとえば、ＧＩ＝ｂ００の場合、以下の式が使用され得る（上記の式（１）に基づく）：  
【数３】
2013543292.tif 000005
【００６２】
ｂ１０の場合、  
【数４】
2013543292.tif 000006
【００６３】
ｂ’１１’の場合、  
【数５】
2013543292.tif 000007
【００６４】
したがって、曖昧なＬＥＮＧＴＨ値が送信されても、曖昧性は、ＧＩフィールドに基づく正しいＮSYM式を使用することによって解消され得る。
【００６５】
以上で説明した方法の様々な操作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェアコンポーネントおよび／または（１つまたは複数の）モジュールを含み得る。一般に、図に示された操作がある場合、それらの操作は、同様の番号をもつ対応するカウンターパートのミーンズプラスファンクションコンポーネントを有し得る。たとえば、図５および図６に示される操作５００および６００は、図５Ａおよび図６Ａに示した手段５００Ａおよび６００Ａに対応する。
【００６６】
たとえば、送信する手段は、図２に示される、アクセスポイント１１０の送信機（たとえば、送信機ユニット２２２）および／またはアンテナ２２４を備え得る。受信する手段は、図２に示される、ユーザ端末１２０の受信機（たとえば、受信機ユニット２５４）および／またはアンテナ２５２を備え得る。処理する手段、決定する手段、または使用する手段は、図２に示されるユーザ端末１２０のＲＸデータプロセッサ２７０、ＴＸデータプロセッサ２８８、および／またはコントローラ２８０など、１つまたは複数のプロセッサを含み得る、処理システムを備えることができる。
【００６７】
本明細書で使用する「決定する」という用語は、多種多様な動作を包含する。たとえば、「決定する」は、計算する、コンピューティングする、処理する、導出する、調査する、検索する（たとえば、テーブル、データベース、または別のデータ構造内を検索する）、確認するなどを含み得る。また、「決定する」は、受信する（たとえば、情報を受信する）、アクセスする（たとえば、メモリ中のデータにアクセスする）などを含み得る。また、「決定する」は、解決する、選択する、選出する、確立するなどを含み得る。
【００６８】
本明細書で使用する、項目のリスト「のうちの少なくとも１つ」を指す表現は、単一のメンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃに及ぶことが意図されている。
【００６９】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェアコンポーネント、あるいは本明細書で説明した機能を実行するように設計されたそれらの任意の組合せを用いて実装または実施されることができる。汎用プロセッサは、マイクロプロセッサであり得るが、代替として、プロセッサは、任意の市販のプロセッサ、コントローラ、マイクロコントローラ、またはステートマシンであり得る。プロセッサは、また、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００７０】
本開示に関連して説明した方法またはアルゴリズムのステップは、直接ハードウェアに、プロセッサによって実行されるソフトウェアモジュールに、またはその２つの組合せに組み込まれることができる。ソフトウェアモジュールは、当該技術分野で知られている任意の形態の記憶媒体中に存在することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメントにわたって、異なる複数のプログラム間に、および複数の記憶媒体にわたって分散されることができる。記憶媒体は、プロセッサが記憶媒体から情報を読み取り、記憶媒体に情報を書き込むことができるように、プロセッサに結合されることができる。代替として、記憶媒体はプロセッサに一体化し得る。
【００７１】
本明細書で開示する方法は、説明した方法を達成するための１つまたは複数のステップまたはアクションを備える。方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく修正され得る。
【００７２】
説明した機能は、ハードウェア、ソフトウェア、ファームウェア、またはそれらの任意の組合せで実装されることができる。ハードウェアで実装される場合、例示的ハードウェア構成は、ワイヤレスノード内の処理システムを備え得る。処理システムは、バスアーキテクチャを用いて実装され得る。バスは、処理システムの特定の用途および全体的な設計制約に応じて、任意の数の相互接続バスおよびブリッジを含み得る。そのバスは、プロセッサ、機械可読媒体、およびバスインターフェースを含む、様々な回路を互いに結び付けることができる。バスインターフェースは、特に、ネットワークアダプタを、バスを介して処理システムに接続するために使用され得る。ネットワークアダプタは、ＰＨＹ層の信号処理機能を実装するために使用され得る。ユーザ端末１２０（図１参照）の場合、ユーザインターフェース（たとえば、キーパッド、ディスプレイ、マウス、ジョイスティックなど）をバスに接続することもできる。バスは、タイミングソース、周辺機器、電圧調整器、電力管理回路など様々な他の回路を結び付けることも可能であり、これは当技術分野ではよく知られているので、これ以上説明しない。
【００７３】
プロセッサは、機械可読媒体に格納されたソフトウェアの実行を含め、バスの管理および一般的な処理を担うことができる。プロセッサは、１つまたは複数の汎用および／または専用プロセッサを用いて実装され得る。例としては、マイクロプロセッサ、マイクロコントローラ、ＤＳＰプロセッサ、およびソフトウェアを実行できる他の回路がある。ソフトウェアは、ソフトウェア、ファームウェア、ミドルウェア、マイクロコード、ハードウェア記述言語などの名称にかかわらず、命令、データ、またはそれらの組合せを意味すると広く解釈されるべきである。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気的消去可能プログラマブル読取り専用メモリ）、レジスタ、磁気ディスク、光ディスク、ハードドライブ、もしくは他の任意の適切な記憶媒体、またはそれらの任意の組合せを含むことができる。機械可読媒体は、コンピュータプログラム製品に組み込まれ得る。コンピュータプログラム製品は、パッケージング材料を備え得る。
【００７４】
ハードウェア実装では、機械可読媒体は、プロセッサとは別個の処理システムの一部であり得る。しかしながら、当業者なら容易に理解するように、機械可読媒体またはその任意の部分は処理システムの外部に存在することができる。例として、機械可読媒体は、すべてバスインターフェースを介してプロセッサによってアクセスされ得る、伝送ライン、データによって変調された搬送波、および／またはワイヤレスノードとは別個のコンピュータ製品を含み得る。代替的または追加的に、機械可読媒体またはその任意の部分は、キャッシュおよび／または汎用レジスタファイルの場合のように、プロセッサに一体化されることができる。
【００７５】
処理システムは、すべて外部バスアーキテクチャを介して他のサポート回路と結び付けられる、プロセッサ機能を提供する１つまたは複数のマイクロプロセッサと、機械可読媒体の少なくとも一部を提供する外部メモリとを備えた、汎用処理システムとして構成されることができる。代替的に、処理システムは、プロセッサ、バスインターフェース、ユーザインターフェース（アクセス端末の場合）、サポート回路、単一のチップに統合された機械可読媒体の少なくとも一部分を備えたＡＳＩＣ（特定用途向け集積回路）を用いて、あるいは１つまたは複数のＦＰＧＡ（フィールドプログラマブルゲートアレイ）、ＰＬＤ（プログラマブル論理デバイス）、コントローラ、ステートマシン、ゲート論理、ディスクリートハードウェアコンポーネント、もしくは他の任意の適切な回路、または本開示全体にわたって記載された様々な機能を実行できる回路の任意の組合せを用いて、実装され得る。当業者なら、特定の適用例および全体的なシステムに課される全体的な設計制約に応じて、どのようにしたら処理システムについて説明した機能を最も良く実装できるかを理解されよう。
【００７６】
機械可読媒体は、いくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス内に存在することができ、または複数の記憶デバイスにわたって分散されることができる。例として、トリガイベントが発生したときに、ソフトウェアモジュールをハードドライブからＲＡＭにロードすることができる。ソフトウェアモジュールの実行中、プロセッサは、アクセス速度を高めるために、命令のいくつかをキャッシュにロードすることができる。次いで、１つまたは複数のキャッシュラインを、プロセッサによる実行のために汎用レジスタファイルにロードすることができる。以下でソフトウェアモジュールの機能に言及するときには、そのような機能は、そのソフトウェアモジュールからの命令を実行するときにプロセッサによって実装されることが理解されよう。
【００７７】
ソフトウェアで実装される場合、機能は、１つまたは複数の命令またはコードとしてコンピュータ可読媒体上に記憶される、またはコンピュータ可読媒体を介して送信されることができる。コンピュータ可読媒体は、ある場所から別の場所へのコンピュータプログラムの移動を容易にする任意の媒体を含む、コンピュータ記憶媒体と通信媒体との両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、または命令またはデータ構造の形態で所望のプログラムコードを搬送または記憶するために使用されることができ、コンピュータによってアクセスされることができる任意の他の媒体を備えることができる。また、任意の接続が、コンピュータ可読媒体と適切に呼ばれる。たとえば、ソフトウェアが、同軸ケーブル、光ファイバケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるとき、ディスク（ｄｉｓｋ）およびディスク（ｄｉｓｃ）は、コンパクトディスク（ｃｏｍｐａｃｔ  ｄｉｓｃ）（ＣＤ）と、レーザディスク（ｌａｓｅｒ  ｄｉｓｃ）と、光ディスク（ｏｐｔｉｃａｌ  ｄｉｓｃ）と、デジタル多用途ディスク（ｄｉｇｉｔａｌ  ｖｅｒｓａｔｉｌｅ  ｄｉｓｃ）（ＤＶＤ）と、フロッピー（登録商標）ディスク（ｄｉｓｋ）と、ブルーレイ（登録商標）ディスク（Ｂｌｕ−ｒａｙ  ｄｉｓｃ）とを含み、ディスク（ｄｉｓｋ）は、通常、磁気的にデータを再生し、ディスク（ｄｉｓｃ）は、レーザを用いて光学的にデータを再生する。したがって、いくつかの態様では、コンピュータ可読媒体は、非一時的コンピュータ可読媒体（たとえば、有形媒体）を含み得る。さらに、他の態様では、コンピュータ可読媒体は、一時的なコンピュータ可読媒体（たとえば、信号）を備え得る。上記の組合せもコンピュータ可読媒体の範囲内に含めるべきである。
【００７８】
したがって、特定の態様は、本明細書で提示する操作を実行するためのコンピュータプログラム製品を備え得る。たとえば、そのようなコンピュータプログラム製品は、本明細書で説明する操作を実行するために１つまたは複数のプロセッサによって実行可能である命令を記憶した（および／または符号化した）コンピュータ可読媒体を備え得る。特定の態様では、コンピュータプログラム製品はパッケージング材料を含み得る。
【００７９】
さらに、本明細書に記載の方法および技法を実行するためのモジュールおよび／または他の適切な手段は、適用可能な場合、ユーザ端末および／または基地局によってダウンロードされるおよび／または他の方法で取得されることができることを諒解されたい。たとえば、そのようなデバイスは、本明細書で説明する方法を実施するための手段の移動を容易にするために、サーバに結合されることができる。代替的に、本明細書で説明される様々な方法は、ユーザ端末および／または基地局が記憶手段をデバイスに結合するかまたは提供すると様々な方法を得ることができるように、記憶手段（たとえば、ＲＡＭ、ＲＯＭ、コンパクトディスク（ＣＤ）またはフロッピーディスクなどの物理記憶媒体など）によって提供されることができる。さらに、本明細書で説明する方法および技法をデバイスに提供するための任意の他の適切な技法を利用することができる。
【００８０】
特許請求の範囲は、上記に示した精確な構成およびコンポーネントに限定されないことを理解されたい。上記の方法および装置の構成、動作および詳細に、特許請求の範囲から逸脱することなく、様々な修正、変更および変形を行うことができる。
【図１】
2013543292.tif 000008
【図２】
2013543292.tif 000009
【図３】
2013543292.tif 000010
【図４】
2013543292.tif 000011
【図５】
2013543292.tif 000012
【図５Ａ】
2013543292.tif 000013
【図６】
2013543292.tif 000014
【図６Ａ】
2013543292.tif 000015
【図７】
2013543292.tif 000016
【図８】
2013543292.tif 000017
【国際調査報告】
2013543292.tif 000018
2013543292.tif 000019
2013543292.tif 000020